(57)【特許請求の範囲】
【請求項１】
本体部に設けられた第１コネクタと、前記本体部の前面に取り付けられる表示パネルに設けられた第２コネクタとを接続するケーブルを備えた表示装置であって、
前記ケーブルには、長さ方向に直交する折り線によってＮ回（Ｎは３以上の整数）だけ連続して折り返された伸縮部が設けられ、
前記ケーブルの長さ方向において、
前記第１コネクタ側から数えて１番目の前記折り線が前記第１コネクタよりも第１方向側に位置するとともに、
前記第２コネクタ側から数えて１番目の前記折り線が前記第２コネクタよりも前記第１方向側に位置し、
前記ケーブルの長さ方向において、
前記第１コネクタ側から数えて１番目の前記折り線と前記第２コネクタ側から数えて１番目の前記折り線の双方が、前記ケーブルの設計収納範囲の前記第１方向側の端部である第１端部に位置し、
前記ケーブルの長さ方向において、
前記第１端部と前記第１コネクタとの間の距離と、前記第１端部と前記第２コネクタとの間の距離との合計は、
前記設計収納範囲における前記第１端部と反対側の端部である第２端部と前記第１コネクタとの間の距離と、前記第２端部と前記第２コネクタとの間の距離との合計よりも大きく、
前記設計収納範囲は前記第１コネクタと前記第２コネクタとを含む空間であり、
前記第１コネクタに接続するために前記ケーブルの第１端子を前記第１コネクタに挿入する方向は前記第１方向と直交する方向であるとともに、前記第２コネクタに接続するために前記ケーブルの第２端子を前記第２コネクタに挿入する方向は前記第１方向と直交する方向であり、
前記本体部と前記表示パネルとは前記第１方向と直交する方向において対向し、
前記伸縮部は前記設計収納範囲のうち前記第１コネクタおよび前記第２コネクタのいずれとも干渉しない範囲に収められている、
表示装置。
【請求項２】
前記ケーブルの長さ方向において、
連続する前記折り線間の間隔は互いに均等である、
請求項１に記載の表示装置。
【請求項３】
前記ケーブルの長さ方向において、
前記設計収納範囲は、前記本体部と前記表示パネルのうち少なくとも一方に設けられた回避部品から基準距離だけ離れた範囲であり、
前記回避部品は、電磁ノイズ源と先鋭形状部のうち少なくとも一方である、
請求項１または請求項２に記載の表示装置。
【発明の詳細な説明】
【技術分野】
【０００１】
本発明は、表示装置に関する。
【背景技術】
【０００２】
パネル回路基板と主回路基板とフレキシブルケーブルとを備えた表示装置において、フレキシブルケーブルに断線が生じることやフレキシブルケーブルと主回路基板との接続部に不良が生じることを防止するための技術が知られている（特許文献１、図２等参照）。特許文献１においては、フレキシブルケーブルに撓み余裕部を形成することにより、コネクタに無理な力が作用することがなく、フレキシブルケーブルと主回路基板との接続状態を確実に維持されている。
【先行技術文献】
【特許文献】
【０００３】
【特許文献１】特開２００５-１９７４１９号公報
【発明の概要】
【発明が解決しようとする課題】
【０００４】
しかしながら、フレキシブルケーブルに単に撓みを持たせただけでは、撓み余裕部が延びきってしまい、コネクタに無理な力が作用するという問題があった。また、撓み余裕部を長くすることによりフレキシブルケーブルが延びきることを防止しようとすると、撓み余裕部が撓んだ際にフレキシブルケーブルが他の部品に干渉して不具合を生じさせるという問題があった。
本発明は、前記課題にかんがみてなされたもので、他の部品と干渉させることなくケーブルが延びきる可能性を低減できる技術を提供することを目的とする。
【課題を解決するための手段】
【０００５】
前記の目的を達成するため、本発明の表示装置は、本体部に設けられた第１コネクタと、本体部の前面に取り付けられる表示パネルに設けられた第２コネクタとを接続するケーブルを備える。また、ケーブルには、長さ方向に直交する折り線によってＮ回（Ｎは３以上の整数）だけ連続して折り返された伸縮部が設けられる。
【０００６】
前記の構成において、ケーブルを３回以上折り返した、いわゆるジャバラ状の伸縮部を設けることにより、第１コネクタと第２コネクタとを離間させた状態においてケーブルが延びきる可能性を低減できる。また、ジャバラ状の伸縮部を設けることにより、第１コネクタと第２コネクタとが接近した状態においてケーブルが存在する範囲を小さくすることができ、他の部品と干渉したりノイズの影響を受けたりする可能性を低減できる。
【図面の簡単な説明】
【０００７】
【図１】表示装置の分解斜視図である。
【図２】表示装置の部分断面図である。
【図３】ケーブルの平面図である。
【発明を実施するための形態】
【０００８】
ここでは、下記の順序に従って本発明の実施の形態について説明する。
（１）第１実施形態：
（２）他の実施形態：
【０００９】
（１）ナビゲーションシステムの構成：
図１は、本発明の一実施形態にかかる表示装置１の分解斜視図である。表示装置１は、車両に搭載される車載器であり、当該車載器は少なくとも画像を表示する機能を有すればよい。例えば、表示装置１は、ナビゲーションシステムであってもよいし、動画や音楽のプレーヤーであってもよい。
【００１０】
図１に示すように、表示装置１は、本体部１０に対して表示パネル２０を取り付けることにより形成される。図１において矢印で示すように、表示装置１の前面と、表示パネル２０の背面とが向かい合うように、本体部１０に対して表示パネル２０が取り付けられる。その結果、本体部１０の前面が表示パネル２０によって覆われることとなる。表示パネル２０の前面には、図示しないタッチパネルディスプレイが備えられており、表示装置１を車両のダッシュボードに取り付けた場合には、表示パネル２０の表示面が乗員の方向（車両後方）を向くこととなる。表示パネル２０の前面には操作ボタン等のメカニカルスイッチが備えられてもよい。
【００１１】
図示しないが、本体部１０には、表示パネル２０のタッチパネルディスプレイに表示させる映像信号を生成する映像処理装置や、表示パネル２０のタッチパネルディスプレイにて受け付けた操作信号に基づいて各種処理を行う制御装置や、表示パネル２０に供給する電源を生成する電源回路等が備えられる。
【００１２】
本体部１０と表示パネル２０は、３本のフレキシブルケーブル３０ａ，３０ｂ，３０ｃによって電気的に接続される。フレキシブルケーブル３０ａ，３０ｂ，３０ｃは、映像信号を表示パネル２０に伝達するケーブルや、タッチパネルディスプレイにて受け付けた操作信号を本体部１０に伝達ケーブルや、表示パネル２０に電源を伝送するケーブル等であってもよい。また、フレキシブルケーブル３０ａ，３０ｂ，３０ｃは少なくとも１本備えられていればよい。本実施形態において、フレキシブルケーブル３０ａ，３０ｂ，３０ｃは互いに同等の長さを有する。フレキシブルケーブル３０ａ，３０ｂ，３０ｃは、いわゆるフラットケーブルであり、複数の金属配線が互いに平行に並んだ状態で配置されるとともに、合成樹脂製の絶縁体によって複数の金属配線を一体的に被覆することにより形成されている。金属配線の方向をフレキシブルケーブル３０ａ，３０ｂ，３０ｃの長さ方向と表記する。
【００１３】
本体部１０の前面には、フレキシブルケーブル３０ａ，３０ｂ，３０ｃの一方の端子である第１端子３１ａ，３１ｂ，３１ｃがそれぞれ電気的に接続する第１コネクタ１１ａ，１１ｂ，１１ｃが備えられている。一方、表示パネル２０の背面にも、フレキシブルケーブル３０ａ，３０ｂ，３０ｃのそれぞれの他方の端子である第２端子３２ａ，３２ｂ，３２ｃがそれぞれ電気的に接続する第２コネクタ２１ａ，２１ｂ，２１ｃが備えられている。すなわち、表示装置１は、本体部１０に設けられた第１コネクタ１１ａ，１１ｂ，１１ｃと、本体部１０の前面に取り付けられる表示パネル２０に設けられた第２コネクタ２１ａ，２１ｂ，２１ｃと、を接続するフレキシブルケーブル３０ａ，３０ｂ，３０ｃを備える。
【００１４】
第１コネクタ１１ａ，１１ｂ，１１ｃは、フレキシブルケーブル３０ａ，３０ｂ，３０ｃの第１端子３１ａ，３１ｂ，３１ｃと電気的に接続するとともに、第１端子３１ａ，３１ｂ，３１ｃを厚み方向に挟んで機械的に固定する。同様に、第２コネクタ２１ａ，２１ｂ，２１ｃは、フレキシブルケーブル３０ａ，３０ｂ，３０ｃの第２端子３２ａ，３２ｂ，３２ｃと電気的に接続するとともに、第２端子３２ａ，３２ｂ，３２ｃを厚み方向に挟んで機械的に固定する。第１コネクタ１１ａ，１１ｂ，１１ｃと第２コネクタ２１ａ，２１ｂ，２１ｃには、第１端子３１ａ，３１ｂ，３１ｃと第２端子３２ａ，３２ｂ，３２ｃの固定／解除を切り替えるためのレバー構造やスライド構造が備えられてもよい。
【００１５】
表示パネル２０が本体部１０に取り付ける際に、まずフレキシブルケーブル３０ａ，３０ｂ，３０ｃの第２端子３２ａ，３２ｂ，３２ｃを第１コネクタ１１ａ，１１ｂ，１１ｃに接続し、フレキシブルケーブル３０ａ，３０ｂ，３０ｃの第１端子３１ａ，３１ｂ，３１ｃを第２コネクタ２１ａ，２１ｂ，２１ｃに接続した状態とする。この状態において、フレキシブルケーブル３０ａ，３０ｂ，３０ｃの長さの範囲内において、本体部１０と表示パネル２０の間に隙間を形成することができる。例えば、最初にフレキシブルケーブル３０ａの接続作業を行った場合でも、本体部１０と表示パネル２０の間に隙間を形成することができるため、当該隙間に手を入れて残りのフレキシブルケーブル３０ｂ，３０ｃの接続作業を行うことができる。
【００１６】
フレキシブルケーブル３０ａ，３０ｂ，３０ｃの接続作業が完了すると、表示パネル２０の背面を本体部１０の前面に接近させ、表示パネル２０の背面が本体部１０の前面に向き合った状態で、表示パネル２０を本体部１０に固定する。表示パネル２０を本体部１０に固定する手法（不図示）は、どのような手法であってもよく、ネジ止めであってもよいし、係止であってもよいし、接着であってもよい。
【００１７】
図２は、本体部１０と表示パネル２０との取り付けが完了した状態の表示装置１の部分断面図である。同図においては、中央のフレキシブルケーブル３０ｂと第１コネクタ１１ｂと第２コネクタ２１ｂの断面およびその拡大図が示されている。図２に示すように、本体部１０と表示パネル２０との取り付けが完了した状態において、第１コネクタ１１ｂと第２コネクタ２１ｂとが接近し、それに伴ってフレキシブルケーブル３０ｂが折り畳まれている。
【００１８】
図２において、フレキシブルケーブル３０ｂの長さ方向は上下方向となっている。フレキシブルケーブル３０ｂは、長さ方向に直交する折り線Ｌ１〜Ｌ５によってＮ回（Ｎ＝５）だけ連続して折り返されることにより形成された伸縮部Ｓを備える。折り線Ｌ１〜Ｌ５の方向は水平方向となっている。フレキシブルケーブル３０ｂの長さ方向と折り線Ｌ１〜Ｌ５の方向は、表示装置１の設置方向や第１コネクタ１１ｂと第２コネクタ２１ｂの配置方向に依存し得るが、互いに直交する方向となっていればよい。図２において、フレキシブルケーブル３０ｂは折り線Ｌ１〜Ｌ５にてほぼ１８０度折り返されており、折り返されたフレキシブルケーブル３０ｂが互いに折り重なった状態となっている。一方、本体部１０と表示パネル２０とを取り付ける前の状態においては、折り線Ｌ１〜Ｌ５におけるフレキシブルケーブル３０ｂの屈曲角（折り線Ｌ１，Ｌ３，Ｌ５の上側に形成される角および折り線Ｌ２，Ｌ４の下側に形成される角）が０〜１８０℃の範囲で可変となる。当該屈曲角が大きくなるほどフレキシブルケーブル３０ｂが延びて本体部１０と表示パネル２０との距離を大きくすることができる。
【００１９】
図２において、二本の一点鎖によって挟まれた範囲がフレキシブルケーブル３０ｂの設計収納範囲Ａである。設計収納範囲Ａとは、第１コネクタ１１ｂと第２コネクタ２１ｂとを含む空間であって、フレキシブルケーブル３０ｂが収納される空間として望ましい空間を意味である。設計収納範囲Ａは、フレキシブルケーブル３０ｂのケーブルの長さ方向において、本体部１０と表示パネル２０のうち少なくとも一方に設けられた回避部品から基準距離Ｙだけ離れた範囲である。本実施形態において、回避部品は、電磁ノイズ源および先鋭形状部である。図２において、回避部品は、表示パネル２０の板金部品の先端部Ｅと電子部品Ｃである。先端部Ｅは、表示パネル２０の板金部品の切断加工によって生じたバリが存在し得る先鋭形状部である。電子部品Ｃは、高周波の信号を扱う回路であり電磁ノイズ源である。表示パネル２０においては、電子部品Ｃを覆うシールド構造Ｃ１が備えられている。設計収納範囲Ａは、板金部品の先端部Ｅから基準距離Ｙ１だけ下方の位置を上限の高さ（上限端ＡＵ）とし、かつ、電子部品Ｃを覆うシールド構造Ｃ１から基準距離Ｙ２だけ上方の位置を下限の高さ（下限端ＡＬ）としている。基準距離Ｙ１，Ｙ２は、同一の距離であってもよいし、互いに異なる距離であってもよい。上下方向における上限端ＡＵと下限端ＡＬとの距離が、上下方向における設計収納範囲Ａの長さＺとなっている。
【００２０】
ここで、図２に示すように、フレキシブルケーブル３０ｂの長さ方向において、第１コネクタ１１ｂ側から数えて１番目の折り線Ｌ１が第１コネクタ１１ｂよりも第１方向側（下側）に位置するとともに、第２コネクタ２１ｂ側から数えて１番目の折り線Ｌ５が第２コネクタよりも第１方向側（下側）に位置する。具体的に、フレキシブルケーブル３０ｂの長さ方向において、第１コネクタ１１ｂ側から数えて１番目の折り線Ｌ１と第２コネクタ２１ｂ側から数えて１番目の折り線Ｌ５の双方が、フレキシブルケーブル３０ｂの設計収納範囲Ａの第１方向側（下側）の端部である第１端部（下限端ＡＬ）に位置している。図２のように本体部１０と表示パネル２０との取り付けが完了した状態においては、折り線Ｌ１と折り線Ｌ５とが双方とも電子部品Ｃを覆うシールド構造Ｃ１から基準距離Ｙ２だけ離れた位置に位置している。なお、本明細書において、折り線Ｌ１〜Ｌ５とは伸縮部Ｓ内に形成された折り線を指し、伸縮部Ｓ以外の部分においてフレキシブルケーブル３０ｂを折り曲げる線が形成されていたとしても、折り線として扱わないこととする。
【００２１】
さらに、図２に示すように、フレキシブルケーブル３０ｂの長さ方向において、第１端部（下限端ＡＬ）と第１コネクタ１１ｂとの間の距離Ｄ１と、第１端部（下限端ＡＬ）と第２コネクタ２１ｂとの間の距離Ｆ１との合計（Ｄ１＋Ｆ１）は、設計収納範囲Ａにおける第１端部（下限端ＡＬ）と反対側の端部である第２端部（上限端ＡＵ）と第１コネクタ１１ｂとの間の距離Ｄ２と、第２端部（上限端ＡＵ）と第２コネクタ２１ｂとの間の距離Ｆ２との合計（Ｄ２＋Ｆ２）よりも大きい。すなわち、伸縮部Ｓの折り線Ｌ１〜Ｌ５のうち両端に位置する折り線Ｌ１，Ｌ５が、設計収納範囲Ａの端部（ＡＵ，ＡＬ）のうち第１コネクタ１１ｂと第２コネクタ２１ｂから遠い側の下限端ＡＬに配置されている。
【００２２】
図３は、フレキシブルケーブル３０ｂの平面図（一直線状に延ばした状態の図）である。同図に示すように、フレキシブルケーブル３０ｂの第１端子３１ｂから距離Ｄ１以上離れた位置に折り線Ｌ１を形成し、第２端子３２ｂから距離Ｆ１以上離れた位置に折り線Ｌ２が形成だれている。
【００２３】
また、フレキシブルケーブル３０ｂの長さ方向において、連続する折り線Ｌ１〜Ｌ５間の間隔は互いに均等である。図３に示すように、フレキシブルケーブル３０ｂの全長Ｈのうち、折り線Ｌ１と折り線Ｌ５との間の部分の長さＵを４等分した位置に折り線Ｌ１〜Ｌ５が形成されている。従って、連続する折り線Ｌ１，Ｌ２の間隔と、連続する折り線Ｌ２，Ｌ３の間隔と、連続する折り線Ｌ３，Ｌ４の間隔と、連続する折り線Ｌ４，Ｌ５の間隔は、互いに均等な長さ（Ｕ／４）である。折り線Ｌ１，Ｌ３，Ｌ５と、折り線Ｌ２，Ｌ４の折り返し方向は互いに反対方向である。例えば、折り線Ｌ１，Ｌ３，Ｌ５が谷折りならば、折り線Ｌ２，Ｌ４は山折りとなる。
【００２４】
さらに、フレキシブルケーブル３０ｂのうち、第１コネクタ１１ｂ側から数えて１番目の折り線Ｌ１と第２コネクタ２１ｂ側から数えて１番目の折り線Ｌ５との間の部分の長さＵを、フレキシブルケーブル３０ｂの長さ方向における設計収納範囲Ａの長さＺで除算して得られる商に１を加えた数がＮと等しい。本実施形態において、折り線Ｌ１と折り線Ｌ５との間の部分の長さＵを設計収納範囲Ａの長さＺで除算した商が４であり、４に１を加えた５がＮと等しくなっている。以上説明したように、設計収納範囲Ａから折り線Ｌ１〜Ｌ５の数と位置とを設計できるため、当該設計された位置にて予め折り線Ｌ１〜Ｌ５を形成しておき、当該折り線Ｌ１〜Ｌ５が形成されたフレキシブルケーブル３０ｂによって第１コネクタ１１ｂ側と第２コネクタ２１ｂ側とを接続する。
【００２５】
以上説明した本実施形態において、フレキシブルケーブル３０ｂを３回以上折り返した、いわゆるジャバラ状の伸縮部Ｓを設けることにより、第１コネクタ１１ｂと第２コネクタ２１ｂとを離間させた状態においてフレキシブルケーブル３０ｂが延びきる可能性を低減できる。フレキシブルケーブル３０ｂが延びきる可能性を低減できるため、本体部１０と表示パネル２０とを取り付ける作業中にフレキシブルケーブル３０ｂに意図しない張力が作用して第１コネクタ１１ｂ側と第２コネクタ２１ｂ側におけるフレキシブルケーブル３０ｂの接続不良が生じる可能性を低減できる。また、ジャバラ状の伸縮部Ｓを設けることにより、第１コネクタ１１ｂと第２コネクタ２１ｂとが接近した状態においてフレキシブルケーブル３０ｂが存在する範囲を小さくすることができ、他の部品と干渉したりノイズの影響を受けたりする可能性を低減できる。
【００２６】
また、フレキシブルケーブル３０ｂの長さ方向において、第１コネクタ１１ｂ側から数えて１番目の折り線Ｌ１が第１コネクタ１１ｂよりも第１方向側（下側）に位置するとともに、第２コネクタ２１ｂ側から数えて１番目の折り線Ｌ５が第２コネクタよりも第１方向側（下側）に位置する。これにより、第１コネクタ１１ｂと第２コネクタ２１ｂに対してフレキシブルケーブル３０ｂの端子を接続する際に、フレキシブルケーブル３０ｂの長さ方向における同一の方向側（第１方向側）から接続することができ、作業性を向上させることができる。
【００２７】
さらに、フレキシブルケーブル３０ｂの長さ方向において、第１コネクタ１１ｂ側から数えて１番目の折り線Ｌ１と第２コネクタ２１ｂ側から数えて１番目の折り線Ｌ５の双方が、フレキシブルケーブル３０ｂの設計収納範囲Ａの第１方向側（下側）の端部である第１端部（下限端ＡＬ）に位置している。これにより、第１コネクタ１１ｂから１番目の折り線Ｌ１までの距離Ｄ１と、第２コネクタ２１ｂから１番目の折り線Ｌ５までの距離Ｆ１とを大きく確保でき、フレキシブルケーブル３０ｂの全長Ｈを大きくすることができる。従って、フレキシブルケーブル３０ｂが延びきる可能性を低減できる。
【００２８】
さらに、フレキシブルケーブル３０ｂの長さ方向において、第１端部（下限端ＡＬ）と第１コネクタ１１ｂとの間の距離Ｄ１と、第１端部（下限端ＡＬ）と第２コネクタ２１ｂとの間の距離Ｆ１との合計（Ｄ１＋Ｆ１）は、設計収納範囲Ａにおける第１端部（下限端ＡＬ）と反対側の端部である第２端部（上限端ＡＵ）と第１コネクタ１１ｂとの間の距離Ｄ２と、第２端部（上限端ＡＵ）と第２コネクタ２１ｂとの間の距離Ｆ２との合計（Ｄ２＋Ｆ２）よりも大きい。これにより、第１コネクタ１１ｂから１番目の折り線Ｌ１までの距離Ｄ１と、第２コネクタ２１ｂから１番目の折り線Ｌ５までの距離Ｆ１とを最大限大きくすることができ、フレキシブルケーブル３０ｂの全長Ｈを大きくすることができる。従って、ケーブルが延びきる可能性を低減できる。
【００２９】
また、フレキシブルケーブル３０ｂの長さ方向において、連続する折り線Ｌ１〜Ｌ５間の間隔は互いに均等にすることにより、伸縮部Ｓの長さを抑制することができ、伸縮部Ｓと他の部品とが干渉する可能性を低減できる。さらに、フレキシブルケーブル３０ｂのうち、第１コネクタ１１ｂ側から数えて１番目の折り線Ｌ１と第２コネクタ２１ｂ側から数えて１番目の折り線Ｌ５との間の部分の長さＵを、フレキシブルケーブル３０ｂの長さ方向における設計収納範囲Ａの長さＺで除算して得られる商に１を加えた数がＮと等しい。これにより、伸縮部Ｓを設計収納範囲Ａ内に収めることができるとともに、伸縮部Ｓにおける折り返しの数（Ｎ）を最小限に留めることができ、伸縮部Ｓにてケーブルが折り重なる厚みを低減できる。
【００３０】
設計収納範囲Ａは、フレキシブルケーブル３０ｂのケーブルの長さ方向において、本体部１０と表示パネル２０のうち少なくとも一方に設けられた回避部品から基準距離Ｙだけ離れた範囲である。従って、回避部品としての電磁ノイズ源（電子部品Ｃ＋シールド構造Ｃ１）からの電磁的な干渉が生じる可能性を低減できるとともに、先鋭形状部（板金部品の先端部Ｅ）との物理的な干渉による破損が生じる可能性を低減できる。なお、図示しないが、他のフレキシブルケーブル３０ａ，３０ｃにも同様に伸縮部Ｓが形成されている。
【００３１】
（２）他の実施形態：
前記実施形態においては、フレキシブルケーブル３０ｂの長さ方向において、第１コネクタ１１ｂ側から数えて１番目の折り線Ｌ１と、第２コネクタ２１ｂ側から数えて１番目の折り線Ｌ５とが、互いに異なる方向側に位置してもよい。例えば、折り線Ｌ１が設計収納範囲Ａの上限端ＡＵに位置し、折り線Ｌ５が設計収納範囲Ａの下限端ＡＬに位置してもよい。この場合でも、伸縮部Ｓによってフレキシブルケーブル３０ｂが延びきる可能性を低減できる。
【００３２】
また、設計収納範囲Ａの第１端部（下限端ＡＬ）と第１コネクタ１１ｂとの間の距離Ｄ１と、第１端部（下限端ＡＬ）と第２コネクタ２１ｂとの間の距離Ｆ１との合計（Ｄ１＋Ｆ１）と、設計収納範囲Ａの第２端部（上限端ＡＵ）と第１コネクタ１１ｂとの間の距離Ｄ２と、第２端部（上限端ＡＵ）と第２コネクタ２１ｂとの間の距離Ｆ２との合計（Ｄ１＋Ｆ２）との大小関係に拘わらず、折り線Ｌ１，Ｌ５の位置を設定してもよい。例えば、第１コネクタ１１ｂと第２コネクタ２１ｂとに対してフレキシブルケーブル３０ｂを上方から差し込んだ方が作業性がよい場合等においては、折り線Ｌ１，Ｌ５の位置を上限端ＡＵに設定してもよい。
【００３３】
また、フレキシブルケーブル３０ｂをＮ回（Ｎは３以上の整数）だけ連続して折り返して伸縮部Ｓを形成すれば、フレキシブルケーブル３０ｂが延びきる可能性を低減でき、折り線Ｌ１〜Ｌ５間の間隔は必ずしも均等でなくてもよい。例えば、図１のように回避部品が表示パネル２０側のみに存在する場合、本体部１０側になるほど折り線Ｌ１〜Ｌ５間の間隔が大きくなるようにして、回避部品が存在しない本体部１０側に偏ってフレキシブルケーブル３０ｂが存在するようにしてもよい。
【００３４】
さらに、折り線Ｌ１と折り線Ｌ５との間の部分の長さＵをフレキシブルケーブル３０ｂの長さ方向における設計収納範囲Ａの長さＺで除算して得られる商に１を加えた数がＮと等しくなくてもよい。例えば、本体部１０と表示パネル２０との間の隙間が大きいほど、Ｎが大きくなるように設定することにより、フレキシブルケーブル３０ｂの長さ方向において伸縮部Ｓが存在する範囲をできるだけ小さくしてもよい。
【００３５】
また、表示装置は、少なくとも表示パネルにて表示を行う機能を有する装置であればどのような装置であってもよく、例えばナビゲーションシステムであってもよいし、映像や音楽のプレーヤーであってもよい。表示パネルは、各種情報を表示する平面板状の表示面を備えた部材であればよく、表示面の表示制御が本体部によってなされてもよいし、表示面の表示制御が表示パネルによってなされてもよい。
【００３６】
ケーブルは、表示装置と表示パネルとを電気的に接続するケーブルであればよく、電源を伝送するケーブルであってもよいし、映像信号等の各種信号を伝達するケーブルであってもよい。第１コネクタと第２コネクタとは、長さ方向におけるケーブルの端子を、本体部と表示パネルに対して電気的に接続する構造を有していればよく、コネクタの形状は特に限定されない。表示装置と表示パネルとを接続するケーブルの本数は何本であってもよい。
【００３７】
ケーブルの伸縮部における折り線の個数（Ｎ）は３個以上であればよく、折り線の個数を増加させるほどケーブルの長さを大きくすることができる。なお、ケーブルは、伸縮部以外の部分を有していてもよく、伸縮部以外の部分において折り曲げられていてもよい。例えば、伸縮部以外の部分にケーブルを斜め方向に折り曲げる線を形成することにより、ケーブルの配線方向を変換してもよい。ケーブルの配線方向を変換することにより、他の部品との干渉やノイズの影響を受けにくい位置に伸縮部を配置することができる。ここで、折り線は、第１コネクタと第２コネクタに対してケーブルを接続する前に予め形成しておいた折れ目である。ケーブルを構成する金属導線を予め塑性変形させておくことにより、折り線を形成しておいてもよい。
【００３８】
また、ケーブルの長さ方向において、第１コネクタ側から数えて１番目の折り線が第１コネクタよりも第１方向側に位置するとともに、第２コネクタ側から数えて１番目の折り線が第２コネクタよりも第１方向側に位置してもよい。これにより、第１コネクタと第２コネクタに対してケーブルの端子を接続する際に、ケーブルの長さ方向における同一の方向側（第１方向側）から接続することができ、作業性を向上させることができる。
【００３９】
さらに、ケーブルの長さ方向において、第１コネクタ側から数えて１番目の折り線と第２コネクタ側から数えて１番目の折り線の双方が、ケーブルの設計収納範囲の第１方向側の端部である第１端部に位置してもよい。これにより、第１コネクタから１番目の折り線までの距離と、第２コネクタから１番目の折り線までの距離とを大きく確保でき、ケーブルの長さを大きくすることができる。従って、ケーブルが延びきる可能性を低減できる。
【００４０】
さらに、ケーブルの長さ方向において、第１端部と第１コネクタとの間の距離と、第１端部と第２コネクタとの間の距離との合計は、設計収納範囲における第１端部と反対側の端部である第２端部と第１コネクタとの間の距離と、第２端部と第２コネクタとの間の距離との合計よりも大きくてもよい。これにより、第１コネクタから１番目の折り線までの距離と、第２コネクタから１番目の折り線までの距離とを最大限大きくすることができ、ケーブルの長さを大きくすることができる。従って、ケーブルが延びきる可能性を低減できる。
【００４１】
また、ケーブルの長さ方向において、連続する折り線間の間隔は互いに均等であってもよい。このように、連続する折り線間の間隔を均等にすることにより、ジャバラ状の伸縮部の長さを抑制することができ、伸縮部と他の部品とが干渉する可能性を低減できる。
【００４２】
さらに、ケーブルのうち、第１コネクタ側から数えて１番目の折り線と第２コネクタ側から数えて１番目の折り線との間の部分の長さを、ケーブルの長さ方向における設計収納範囲の長さで除算して得られる商に１を加えた数がＮと等しくてもよい。これにより、伸縮部を設計収納範囲内に収めることができるとともに、伸縮部における折り返しの数（Ｎ）を最小限に留めることができ、伸縮部にてケーブルが折り重なる厚みを低減できる。
【００４３】
また、ケーブルの長さ方向において、設計収納範囲は、本体部と表示パネルのうち少なくとも一方に設けられた回避部品から基準距離だけ離れた範囲であり、回避部品は、電磁ノイズ源と先鋭形状部のうち少なくとも一方であってもよい。これにより、電磁ノイズ源からの電磁的な干渉が生じる可能性を低減できる。また、先鋭形状部との物理的な干渉による破損が生じる可能性を低減できる。
【符号の説明】
【００４４】
１…表示装置、１０…本体部、１１ａ〜１１ｃ…第１コネクタ、２０…表示パネル、２１ａ…第２コネクタ、２１ｂ…第２コネクタ、２１ｃ…第２コネクタ、３０ａ〜３０ｃ…フレキシブルケーブル、Ａ…設計収納範囲、ＡＬ…下限端、ＡＵ…上限端、Ｃ…電子部品、Ｅ…先端部、Ｆ１…距離、Ｆ２…距離、Ｌ１〜Ｌ５…折り線、Ｓ…伸縮部、Ｙ…基準距離
【図１】
0006623879.tif 000002
【図２】
0006623879.tif 000003
【図３】
0006623879.tif 000004